(57)【要約】【課題】本考案は、紙幣の種類が不特定で、一度に投入する紙幣の枚数が少ない場合に適した紙幣計数機を提供することを目的とするものである。【解決手段】本考案は、上記の課題を解決するために、ローラーとベルトで引き込んだ紙幣をセンサーで感知する投入部と、前記投入部で認識した紙幣を種類ごとにカウントし金額を集計する制御部と、前記制御部で算出した紙幣の枚数と金額の合計を表示する出力部とからなることを特徴とする紙幣計数機の構成とした。【選択図】図１
0003145982.tif 000002
【実用新案登録請求の範囲】
【請求項１】
ローラーとベルトで引き込んだ紙幣をセンサーで感知する投入部と、前記投入部で認識した紙幣を種類ごとにカウントし金額を集計する制御部と、前記制御部で算出した紙幣の枚数と金額の合計を表示する出力部とからなることを特徴とする紙幣計数機。
【請求項２】
投入部を複数設け、どの投入部からも紙幣を受け入れることを特徴とする請求項１に記載の紙幣計数機。
【請求項３】
投入部が必要最小限の動力でローラー及びベルトを動かすことを特徴とする請求項１又は請求項２に記載の紙幣計数機。
【請求項４】
制御部が紙幣投入時の異常を通知することを特徴とする請求項１乃至請求項３のいずれか１項に記載の紙幣計数機。
【考案の詳細な説明】
【技術分野】
【０００１】
本考案は、投入された紙幣の枚数を種類ごとに数え、金額の合計を求めることができる紙幣計数機に関するものである。
【背景技術】
【０００２】
従来の紙幣計数機又は紙幣計数機能を備えた装置には、単に紙幣の枚数を数えるだけのものや、種類の異なる紙幣が混在している場合は、紙幣の種類を認識した上でカウントし、種類ごとに仕分けるものなどがある。
【０００３】
特許文献１に記載されているように、持ち運びを可能とし、紙幣単位別の枚数と合計金額を表示する紙幣計数器の発明も公開されている。
【特許文献１】特開平０８−１０６５６６号公報
【考案の開示】
【考案が解決しようとする課題】
【０００４】
しかしながら、従来の紙幣計数機は大型で店舗等に据え付けられている場合が多く、一度に大量の紙幣を扱う場合には良いが、少量の紙幣を何箇所か移動しながら回収するような場合には不便である。
【０００５】
そこで、本考案は、紙幣の種類が不特定で、一度に投入する紙幣の枚数が少ない場合に適した紙幣計数機を提供することを目的とするものである。
【課題を解決するための手段】
【０００６】
本考案は、上記の課題を解決するために、ローラーとベルトで引き込んだ紙幣をセンサーで感知する投入部と、前記投入部で認識した紙幣を種類ごとにカウントし金額を集計する制御部と、前記制御部で算出した紙幣の枚数と金額の合計を表示する出力部とからなることを特徴とする紙幣計数機の構成とした。
【考案の効果】
【０００７】
本考案は、投入された紙幣の種類を感知し、紙幣の種類ごとに枚数を数えて、金額の合計を求めることができる。尚、紙幣を１枚ずつ取り込むため、ローラー及びベルトを必要最小限の動力で引き込むことができる。
【０００８】
また、投入部を複数設けることで、同時に複数の紙幣を投入することができると共に、いずれか１つの投入部が故障したとしても、他の投入部を利用すれば良いので、修復するまで機能が停止するということがない。
【考案を実施するための最良の形態】
【０００９】
本考案は、紙幣の種類が不特定で、一度に投入する紙幣の枚数が少ない場合に適した紙幣計数機を提供するという目的を、ローラーとベルトで引き込んだ紙幣をセンサーで感知する投入部と、前記投入部で認識した紙幣を種類ごとにカウントし金額を集計する制御部と、前記制御部で算出した紙幣の枚数と金額の合計を表示する出力部とからなることを特徴とする紙幣計数機とすることで実現した。
【実施例１】
【００１０】
以下に、添付図面に基づいて、本考案である紙幣計数機について詳細に説明する。図１は、本考案である紙幣計数機の外観を示す図である。
【００１１】
紙幣計数機１は、ローラー３ｈとベルト３ｉで引き込んだ紙幣８をセンサー３ｋで感知する投入部３と、前記投入部３で認識した紙幣８を種類ごとにカウントし金額を集計する制御部７と、前記制御部７で算出した紙幣８の枚数と金額の合計を表示する出力部４とからなることを特徴とする。
【００１２】
紙幣計数機１は、投入部３、制御部７及び出力部４がケース２に収容されるが、一部を外部機器とすることも可能である。また、ケース２には動作指示を出すための操作部５や、動作状況を示す表示部５ａなどが設けられる。
【００１３】
また、ケース２は内部に収容した投入部３、制御部７及び出力部４をメンテナンス等するために扉２ａが開閉可能であり、内部を換気したり空冷するためのファン２ｂなども設けられる。
【００１４】
投入部３は、外部から紙幣８を取り込み、ケース２内の収納部６に収納する。また、制御部７は、投入部３、出力部４、操作部５及び表示部５ａを制御し、必要に応じて演算等を行う。
【００１５】
尚、図１においては、出力部４を外付けとし、ケーブルを用いてケース２と接続しているが、操作部５の指示に応じて、出力部４にセットした用紙４ａに対し、それまでに投入した紙幣８ごとの枚数及び合計金額を印字することができる。
【００１６】
図２は、本考案である紙幣計数機の内部を示す図である。図２においては、ケース２内に、３つの投入部３、各投入部３に連設した収納部６、及び２枚の基板からなる制御部７を設ける。
【００１７】
投入部３は、１枚ずつ紙幣８を引き込んで、紙幣８の種類と紙幣８が正常であるか否かを識別するが、種類ごとに選別することまでは行わなず、投入された紙幣８をそのまま収納部６に蓄積するだけである。
【００１８】
複数設置した投入部３は、各投入部３が同じ機能を有し、仮に一部の投入部３が故障しても、故障していない投入部３が１つでも存在すれば、全体としては、機能を維持することができる。
【００１９】
収納部６は、投入部３から送られてきた紙幣８を重ねて保管する。複数の投入部３に対し、投入する紙幣８の種類を予め決めておけば、収納部６に貯まる紙幣８も同じ種類ごとに束ねることができる。
【００２０】
制御部７は、集積回路等の半導体素子からなる電子部品を配線することにより、中央処理装置（ＣＰＵ）や記憶装置（メモリ）等を実装させた基板であり、各部から信号を入力し、入力信号に応じた情報処理を行い、処理結果に伴う信号を各部へ出力する。
【００２１】
例えば、投入部３から紙幣８を感知した旨の信号を受信した場合は、投入部３に対し紙幣８を引き込んで収納部６に送る指令を送信すると共に、投入部３で判別した紙幣８の種類を受信して記憶装置に蓄積するといった制御を行う。
【００２２】
尚、紙幣８の種類を判別した際に、異常を検知した場合は、表示部５ａに対し警告表示を行い、エラー制御する。また、収納部６に紙幣８を送る際に収納部６が容量一杯であった場合も、表示部５ａに対し警告表示を行う。
【００２３】
また、操作部５から集計する旨の信号を検知した場合は、中央処理装置が記憶装置に保存した紙幣８の種類ごとにカウントした枚数から合計金額を算出し、各枚数と合計金額を出力部４に送信して表示又は印刷等の制御を行う。
【００２４】
尚、集計は操作部５から初期化する旨の信号を検知した以降に投入された紙幣８を対象としており、初期化する際は記憶装置に蓄積されたデータをクリアする。その他、制御部７は、直流と交流の電圧変換なども行う。
【００２５】
図３は、本考案である紙幣計数機の投入部の１つを示す図である。投入部３の下に連設される収納部６の前面には紙幣８が飛び出さないようにカバーが付いているが、図３においては、そのカバーを開いた状態である。
【００２６】
投入部３は、上部材３ａと下部材３ｂとからなり、上部材３ａと下部材３ｂの間の隙間が投入口３ｄとなり、投入口３ｄに紙幣８を導入するための載台３ｃが下部材３ｂから突出するように設けられる。
【００２７】
上部材３ａと下部材３ｂとは奥側で連結しており、上部材３ａのロック３ｅを解除することで、上部材３ａを回動させて開くことが可能であり、投入口３ｄのメンテナンスを行うことができる。
【００２８】
収納部６は、上部に紙幣８を収容するためのスペース６ａを有する。スペース６ａの下側は、上下にスライド移動可能な押さえ６ｂにより、スペース６ａの容量を変動させることができる。
【００２９】
押さえ６ｂの下方からバネ６ｃの弾性力を利用して押さえ６ｂを上方に押し上げることにより、収納した紙幣８を押さえ付けると共に、スペース６ａを紙幣８の枚数に応じた容量にすることができる。
【００３０】
図４は、本考案である紙幣計数機の投入部を開いた状態を示す図である。ロック３ｅは、留具３ｆにより上部材３ａを下部材３ｂに固定しており、解除して留具３ｆを外すことで上部材３ａを上方に開くことができる。
【００３１】
上部材３ａと下部材３ｂの奥端は回転軸３ｇで繋がっているので、上部材３ａの手前側を持ち上げるように回動させることで、投入口３ｄを開き、上部材３ａと下部材３ｂの合わせ面を確認することができる。
【００３２】
上部材３ａの内面には、両端に複数のローラー３ｈ、手前側に上受け材３ｌ及びセンサー３ｋなどが設けられ、下部材３ｂの内面には、ローラー３ｈの位置に対応するようにベルト３ｉ、上受け材３ｌに対向するように下受け材３ｍなどが設けられる。
【００３３】
上部材３ａを下げた際、ローラー３ｈとベルト３ｉとは合わさり、ベルト３ｉがモーターの駆動により動作すると、それに伴いローラー３ｈも回転する。紙幣８が投入されると、ローラー３ｈとベルト３ｉの間に挟みながら、奥へ移動させる。
【００３４】
また、上受け材３ｌと下受け材３ｍは、投入口３ｄの入口付近で、紙幣８を投入口３ｄ内に導入しやすくする部材であるり、上受け材３ｌと下受け材３ｍの間に紙幣８を通過させることで、紙幣８を適正に取り込み、センサー３ｋで判別しやすくする。
【００３５】
センサー３ｋは、投入口３ｄの入口で紙幣８を感知すると、制御部７を介して紙幣８を１枚取り込むのに必要なエネルギーでモーターを作動させ、ローラー３ｈとベルト３ｉにより投入口３ｄ内に引き込む。
【００３６】
また、センサー３ｋは、光又は磁気などを利用して、紙幣８の種類と、紙幣８が正常か異常かを判別し、制御部７に送る。投入口３ｄの奥に移動した紙幣８は、送出口３ｊから収納部６へ送られる。
【００３７】
図５は、本考案である紙幣計数機の紙幣を投入する状況を示す図である。載台３ｃに紙幣８を載せ、投入口３ｄの方に滑らせる。紙幣８の先端が投入口３ｄに入ると、センサー３ｋが感知して、紙幣８を取り込む。
【００３８】
紙幣８は長手方向に押し入れるが、向きや表裏が逆であっても、紙幣８の種類をセンサー３ｋで判別することができる。尚、紙幣８が大きく折ってあったり、汚れがひどい場合には、異常として取り込みを中止する。
【００３９】
また、紙幣８を複数枚重ねた状態で投入可能とすることもできる。載台３ｃ上に紙幣８の束を置き、束の下側から１枚ずつ取り込んだり、複数枚を同時に引き込んでから各紙幣８を認識するなどの方法がある。
【００４０】
図６は、本考案である紙幣計数機の印刷部で印字する状況を示す図である。出力部４として外付けのプリンターを用いた場合は、制御部７から出力データと出力指示を受信して印刷を行う。
【００４１】
図６においては、記憶装置を初期化してから操作部５で出力指示をするまでの間に、投入された紙幣８の種類ごとの枚数と、金額の合計を用紙４ａに印刷した例を示したものである。
【図面の簡単な説明】
【００４２】
【図１】本考案である紙幣計数機の外観を示す図である。
【図２】本考案である紙幣計数機の内部を示す図である。
【図３】本考案である紙幣計数機の投入部の１つを示す図である。
【図４】本考案である紙幣計数機の投入部を開いた状態を示す図である。
【図５】本考案である紙幣計数機の紙幣を投入する状況を示す図である。
【図６】本考案である紙幣計数機の印刷部で印字する状況を示す図である。
【符号の説明】
【００４３】
１        紙幣計数機
２        ケース
２ａ      扉
２ｂ      ファン
３        投入部
３ａ      上部材
３ｂ      下部材
３ｃ      載台
３ｄ      投入口
３ｅ      ロック
３ｆ      留具
３ｇ      回転軸
３ｈ      ローラー
３ｉ      ベルト
３ｊ      送出口
３ｋ      センサー
３ｌ      上受け材
３ｍ      下受け材
４        出力部
４ａ      用紙
５        操作部
５ａ      表示部
６        収納部
６ａ      スペース
６ｂ      押さえ
６ｃ      バネ
７        制御部
８        紙幣
【図１】
0003145982.tif 000003
【図２】
0003145982.tif 000004
【図３】
0003145982.tif 000005
【図４】
0003145982.tif 000006
【図５】
0003145982.tif 000007
【図６】
0003145982.tif 000008